(57)【要約】      （修正有）【課題】収納容器、特に放射性物質の収納容器を容易に着脱ができる収納納容器用の貯蔵架台を提供する。【解決手段】収納容器の突起部を架台基部２Ｂの上面側に押付ける突起固定部を具備する固縛装置４を架台基部２Ｂの上面に設け、固縛装置４は突起固定部を柱状部から離間させる開閉機構を有する。また、収納容器を架台基部２Ｂに搭載した状態でその周囲に、収納容器の横ずれ防止金具５を架台基部２Ｂの上面に複数個配置し、横ずれ防止金具５は収納容器を支持する支持部材の中心軸方向の位置を調整する調整機構を有する。さらに、固縛装置４は、前記架台基部の上面から取り外し可能であるタイプを有する。【選択図】図２
2015096860.tif 000002
【特許請求の範囲】
【請求項１】
柱状形状を有し柱状部に複数の突起部を有する収納容器と、前記収納容器を前記柱状部
の中心軸が鉛直方向となるように搭載可能な架台基部を備えた収納容器用の貯蔵架台において、
前記架台基部の上面に設けられ、前記突起部を前記架台基部の上面側に押付ける第１の突起固定部を前記中心軸から離間させる方向に開く開閉機構を有する第１の固縛装置を、前記収納容器が前記架台基部に搭載した状態で、前記収納容器の貯蔵架台への搭載方向に対して左右対称位置に２台配置し、
前記収納容器を前記架台基部に搭載した状態での前記収納容器の周囲であって、前記第１の固縛装置に対して９０度の位置に前記架台基部の上面に配置され、取り外し可能であって、前記収納容器を支持する支持部材の前記中心軸方向の位置を調整する調整機構を有する第１の横ずれ防止金具を有する、
ことを特徴とする収納容器用の貯蔵架台。
【請求項２】
請求項１に記載の収納容器用の貯蔵架台において、
前記収納容器を前記架台基部に搭載した状態での前記収納容器の周囲であって、２台の前記第１の固縛装置を結ぶ線に対して前記第１の横ずれ装置とは反対側の前記架台基部の上面に固定配置され、前記収納容器を支持する支持部材の前記中心軸方向の位置を調整する調整機構を有する第２の横ずれ防止金具を有する、
ことを特徴とする収納容器用の貯蔵架台。
【請求項３】
請求項２に記載の収納容器用の貯蔵架台において、
前記第２の横ずれ防止金具を前記第１の横ずれ装置と１８０度の成す位置に、又は前記第２の横ずれ防止金具を前記第１の横ずれ装置と１２０度の成す位置に２台設けた、
ことを特徴とする収納容器用の貯蔵架台。
【請求項４】
請求項１乃至３のいずれかに記載の収納容器用の貯蔵架台において、
前記第１の横ずれ防止金具の位置に、前記架台基部の上面に設けられ、前記突起部を前記架台基部の上面側に押付ける第２の突起固定部を有し、前記架台基部の上面から取り外し可能である第２の固縛装置を、
有することを特徴とする収納容器用の貯蔵架台。
【請求項５】
請求項４に記載の収納容器用の貯蔵架台において、
前記架台基部の上面から取り外された前記第２の固縛装置を持ちあげるジョッキを備え、持ち上げられた前記第２の固縛装置を移動させる移動台車を有する、
ことを特徴とする収納容器用の貯蔵架台。
【請求項６】
請求項１乃至５のいずれかにに記載の収納容器用の貯蔵架台において、
前記収納容器を前記架台基部に搭載した状態での前記収納容器の周囲であって、２台の前記第１の固縛装置を結ぶ線に対して前記第１の横ずれ装置とは反対側の前記架台基部の上面に固定配置され、前記突起部を前記架台基部の上面側に押付ける第３の突起固定部を有する第３の固縛装置を有する、
ことを特徴とする収納容器用の貯蔵架台。
【請求項７】
請求項１乃至６のいずれかに記載の収納容器用の貯蔵架台において、
前記収納容器は放射性物質収納容器である、
ことを特徴とする収納容器用の貯蔵架台。
【発明の詳細な説明】
【技術分野】
【０００１】
本発明は、主として原子力発電所から発生する使用済燃料を貯蔵するときに使用する収
納容器用の貯蔵架台に関するものである。
【背景技術】
【０００２】
原子力発電施設の炉心で一定期間使用された燃料は、炉心より取出されて使用済燃料プール等に一時保管される。この所定の冷却期間が終了した燃料は最終的に再処理工場に搬
出され、再処理されウランとプルトニウムを再資源として取り出し、再利用される。
【０００３】
使用済燃料は、再処理されるまでの期間に適切に管理・貯蔵される必要がある。そのた
めに、日本では原子力発電所の敷地内もしくは敷地外にて管理・貯蔵する方法として、コ
スト的にもまた長期に亘る安定貯蔵を考えた場合においても乾式貯蔵が注目されている。
乾式貯蔵方式のうち、現在国内で実用化されているキャスク貯蔵方式は、金属製の放射性
物質収納容器の中に使用済燃料を収納し貯蔵する方法である。
【０００４】
この収納容器は、一般的に放射性物質貯蔵施設内において貯蔵用の架台に搭載され、施
設内に設けられた貯蔵場所の床面の所定の位置に、架台を固定することで貯蔵される。
【０００５】
収納容器は、重量が非常に重いため、従来その搬送は、放射性物質貯蔵施設の天井に設
けられたクレーン等の設備を用いて行っていた。しかし、クレーン等を用いた放射性物質
貯蔵施設では、収納容器の吊り下げ高さを確保するために、建屋が大型化することによる
貯蔵コスト増加の要因となっていた。
【０００６】
そこで、収納容器の搬送にエアパレットを用いることが計画されてきている。収納容器
の移送は、貯蔵架台に収納容器を固縛し、その貯蔵架台の空間部にエアパレットが装着し
て行うものである。（例えば特許第４５７５８６４号）
放射性物質貯蔵施設内に搬入された収納容器は、中心軸を水平にした横置きの状態で横
置き用架台に仮置きされ、収納容器を貯蔵エリアに貯蔵のために移動するときは、天井ク
レーンを用いて収納容器の縦起こしを行い、その状態で貯蔵架台上面へ移動し、収納容器の固縛装置への衝突を避けるために固縛装置より上まで吊上げ、規定の搭載位置の真上まで移動した後に着座させてから収納容器のトラニオン部を固縛することになる。
【０００７】
従来の技術、例えば特開２００８−２９８５８８では、固縛装置はトラニオン保持機構
として、ブロック形状のものを２個配置し、収納容器の横ずれ防止としては、テーパ付き
金具を用いた押圧機構を設けた構造としている。
【先行技術文献】
【特許文献】
【０００８】
【特許文献１】特許第４５７５８６４号（特開２００７−０６４６８１号)公報
【特許文献２】特開２００８−２９８５８８号公報
【発明の概要】
【発明が解決しようとする課題】
【０００９】
一方で、放射性物質貯蔵施設での取り扱いでは、収納容器の安全な取扱いを考慮し、収
納容器を規定の高さ以下で吊上げることとしており、この場合、収納容器を貯蔵架台上面
へ移動すると固縛装置と干渉することから、事前に固縛装置を取り外しておき、収納容器
を設置してから固縛装置を取付けることが必要となる。
【００１０】
しかし、この固縛装置は重量物となることから、固縛装置の着脱にあたっては、別途小
型のクレーン等を用いて取り扱う必要があった。
また、固縛装置には収納容器の底面を貯蔵架台に押付けるために押圧機能を有するが、
地震力が押圧による収納容器と貯蔵架台接触面の摩擦力を上回った場合、収納容器が横ずれするという懸念があることから、前述のように従来技術ではテーパ付き金具を用いた押
圧機構を設けたものもあった。
【００１１】
本発明の目的は、収納容器、特に放射性物質の収納容器を容易に着脱できる収納納容器
用の貯蔵架台を提供することにある。
【課題を解決するための手段】
【００１２】
本発明は、上記目的を達成するため、柱状形状を有し柱状部に複数の突起部を有する収
納容器と、前記収納容器を前記柱状部の中心軸が鉛直方向となるように搭載可能な架台基
部を備えた収納容器用の貯蔵架台において、少なくとも以下に示す特徴を有する。
【００１３】
本発明は、架台基部の上面に設けられ、突起部を架台基部の上面側に押付ける第１の突起固定部を中心軸から離間させる方向に開く開閉機構を有する第１の固縛装置を、収納容器が架台基部に搭載した状態で、収納容器の貯蔵架台への搭載方向に対して左右対称位置に２台配置し、収納容器を架台基部に搭載した状態での収納容器の周囲であって、第１の固縛装置に対して９０度の位置に架台基部の上面に配置され、取り外し可能であって、収納容器を支持する支持部材の中心軸方向の位置を調整する調整機構を有する第１の横ずれ防止金具を有することを特徴とする。
【００１４】
また、本発明は、収納容器を架台基部に搭載した状態での収納容器の周囲であって、２台の第１の固縛装置を結ぶ線に対して第１の横ずれ装置とは反対側の架台基部の上面に固定配置され、収納容器を支持する支持部材の中心軸方向の位置を調整する調整機構を有する第２の横ずれ防止金具を有してもよい。
【００１５】
さらに、本発明は、第２の横ずれ防止金具を第１の横ずれ装置と１８０度の成す位置に設けてもよい。
【００１６】
また、第２の横ずれ防止金具を第１の横ずれ装置と１２０度の成す位置に置設けてもよい。
【００１７】
また、第１の横ずれ防止金具の位置に、架台基部の上面に設けられ、突起部を架台基部の上面側に押付ける第２の突起固定部を有し、架台基部の上面から取り外し可能である第２の固縛装置を有してもよい。
【００１８】
さらに、架台基部の上面から取り外された第２の固縛装置を持ちあげるジョッキを備え、持ち上げられた第２の固縛装置を移動させる移動台車を有してもよい。
【００１９】
また、収納容器を架台基部に搭載した状態での収納容器の周囲であって、２台の第１の固縛装置を結ぶ線に対して第１の横ずれ装置とは反対側の架台基部の上面に固定配置され、突起部を架台基部の上面側に押付ける第３の突起固定部を有する第３の固縛装置を有してもよい。
【００２０】
さらに、収納容器は放射性物質収納容器であってもよい。
【発明の効果】
【００２１】
本発明によれは、収納容器、特に放射性物質の収納容器を容易に着脱できる納容器用の
貯蔵架台を提供できる。
【図面の簡単な説明】
【００２２】
【図１】実施形態である収納容器を搭載できる本発明の収納容器用の貯蔵架台の第１の実施例１の状態図を示す図である。
【図２】固縛装置と横ずれ防止金具を有する実施例１の収納容器用の貯蔵架台の傾斜図である。
【図３】実施例１の収納容器用の貯蔵架台が有する固縛装置のうち両脇側に設けられた固縛装置４Ｂ及び入口側に設けられた固縛装置４Ｃの構成と動作の説明図である。
【図４】実施例１における入口側の固縛装置を取り扱うための移動台車の正面図と断面図である。
【図５】実施例１における貯蔵架台に取付ける横ずれ防止金具の平面図と断面図である。
【図６】本発明の収納容器用の貯蔵架台の第２の実施例２を示す図である。
【図７】本発明の収納容器用の貯蔵架台の第２の実施例２の動作を説明するための図である。
【図８】固縛装置の他の実施例を有する本発明の収納容器用の貯蔵架台の第３の実施例３を示す。
【図９】実施例３におけるトラニオン固定金具の詳細を示す図である。
【図１０】本発明の収納容器用の貯蔵架台の第４の実施例４を示す図である。
【発明を実施するための形態】
【００２３】
本発明の実施形態について図１〜１０を用いて説明する。図１は実施形態である収納容
器を搭載できる本発明の収納容器用の貯蔵架台の第１の実施例１の状態図を示す。なお、
各図において、矢印で示される符号は、装置又は機構或いはある構成要素の集合部分を示
し、矢印ない斜線で示される符号は部材又は構成要素を示す。
【００２４】
図１に示すように、貯蔵架台２は収納容器１を搭載する架台基部２Ｂを有し、架台基部
の上面には、収納容器１のトラニオン３と呼ばれる突起部を固縛或いは固定するための固
縛装置４と、収納容器１を貯蔵架台２へ搭載するときの位置決めや、貯蔵架台２に収納容
器１を搭載した状態での貯蔵時の地震時における横ずれを防止するための横ずれ防止金具
５とを設けている。なお、本実施形態の収納容器１は、円柱状の形状をしているが四角柱
や多角柱などの柱状形状であればよい。
【００２５】
図２に、固縛装置と横ずれ防止金具を有する実施例１の収納容器用の貯蔵架台２の傾斜
図を示す。
貯蔵架台２は金属製であり、例えば、３ｍ（縦）×３ｍ（横）×０．４ｍ（高さ）であ
る。貯蔵架台２の底面には、エアパレット（本図には図示していない）で搬送するための
空間Ａを設けている。貯蔵架台２の側面には、貯蔵架台２をエアパレットで貯蔵エリアに
搬送し、貯蔵する定位置への位置決め時のガイドとするために、Ｖブロック２２を備えて
いる。
【００２６】
貯蔵架台２の上面中央には、収納容器１の搭載時に底面が密着するように、収納容器着
座部Ｂの直径に対応した部分に面加工を施している。なお、収納容器１が密着できる程度
の面精度があれば面加工は必ずしも必要ではない。貯蔵架台２上面には、収納容器１を搭
載した状態で、放射性物質貯蔵施設内の貯蔵エリア床面に、貯蔵架台固定ボルト（図示せ
ず）を用いて固定するための貯蔵架台固定ボルト穴１７を設けている。また貯蔵架台２の
上面には、収納容器１に設けている突起部であるトラニオン３を固縛するために、固縛装
置４が設けられている。固縛装置４はそれぞれのトラニオンに対応する突起固定部である
トラニオン固定金具６を有し、トラニオン固定ボルト７ａ〜７ｄを介して貯蔵架台２にそれぞれ固定されている。
【００２７】
固縛装置４は、収納容器１の貯蔵架台２へ搭載時のトラニオン３の位置に応じて、構造
が異なる。実施例１では、入口側の４Ｃ、収納容器搭載方向に対して両脇側の４Ｂ及び奥
側の４Ａの３構造となる。各固縛装置４の構成要素において、添え字のあるものは構造が
異なることを示す。
まず、奥側の固縛装置４Ａから説明する。奥側の固縛装置４Ａは、図１に示すトラニオ
ン３を押圧固定するためのトラニオン固定金具６をトラニオン固定ボルト７ｃの２本を介
して貯蔵架台２に取付けている。また、２本のトラニオン固定ボルト７ｃは、それぞれに
圧縮バネ支持用パイプ９に接合している。２本の圧縮バネ支持用パイプ９は、その間に２
枚の連結部材１２を水平に固定している（固縛装置４Ｃの図を参照）。２枚の連結部材１
２には、収納容器１搭載時の位置決め用として、トラニオン３をガイドするトラニオンガ
イド２０が固定されている。
【００２８】
また、圧縮バネ支持用パイプ９とトラニオン固定金具６の間には、トラニオン固定金具
の取扱いを容易にするために圧縮バネ８を設けている。収納容器１の搭載時には、あらかじめナット１０を緩めることにより、圧縮バネ８のバネ力がトラニオン固定金具６の自重
に打ち勝ち、トラニオン固定金具６も上方向に移動する。収納容器１を貯蔵架台２に搭載
後のトラニオン３の固縛時には、ナット１０を締めることにより、トラニオン固定金具６を降下させ、トラニオン固定金具６でトラニオンを固縛する。なお、図２では圧縮バネ８
は１個であるが、必要に応じもう片方のトラニオン固定ボルト７ｃに設けても良い。
【００２９】
次に、図３を用いて実施例１の収納容器用の貯蔵架台が有する固縛装置４のうち両脇側
に設けられた固縛装置４Ｂ及び入口側に設けられた固縛装置４Ｃの構成と動作を説明する。
【００３０】
まず、両脇側に設けられた固縛装置４Ｂの構成の動きを説明する。２つの固縛装置４Ｂ
は同一構成を有するので、一部を除いて左側の固縛装置４Ｂに符号を付す。
収納容器搭載方向に対して左右の配置となる固縛装置４Ｂのトラニオン固定金具６は、
トラニオン固定ボルト７ａのナット１１を緩め、次にナット１５を締め込むことより、ト
ラニオン固定ボルト７ａの先端部７ａｓが貯蔵架台２の設けられたねじ穴２４から外れ、
その先端部が貯蔵架台２と干渉しない高さになるまで上げる。また、それと同時に圧縮バ
ネ８を設けているトラニオン固定ボルト７ｂのナット１０を緩めると、バネの力により、
トラニオン固定金具６を、収納容器１の搭載時にトラニオン３（図１参照）と干渉を回避
できる高さまで移動し、次にトラニオン固定ボルト７ｂ側を軸としてトラニオン固定金具
６を開く。図３の矢印に示すように、左右の固縛装置４Ｂのトラニオン固定ボルト７ａの
動作方向が異なり左右に開いているので、収納容器１を左右の固縛装置４Ｂとの干渉なく
貯蔵架台２に搭載できる。
【００３１】
搭載後のトラニオン３の固縛時には、上記の順序とは逆の手順で行い、最後に、ナット
１０及び１５を閉め込み、トラニオン固定金具６でトラニオン３を上から押え固縛することができる。
【００３２】
次に、収納容器搭載方向入口側に設置している固縛装置４Ｃを説明する。固縛装置４Ｃ
は、トラニオン固定金具６と、それぞれ左右に２個存在するトラニオン固定ボルト７ｄ及
び圧縮バネ８並びに連結部材１２とが一体に構成している。固縛装置４Ｃは、固縛装置４
Ｂと同様に、２本のトラニオン固定ボルト７ｄの下部に設けられたナット１１を、例えば
それぞれトラニオン固定ボルト７ｄの頭部に設けた例えば平面部をまわして緩めることに
よって、貯蔵架台２のねじ穴２４から取り外すことができる。
【００３３】
取り外した固縛装置４Ｃを移動させるために、図４に示すように、あらかじめジャッキ
機能を備えた移動台車１９を設ける。固縛装置４Ｃは取り外された時には移動台車１９に
セット保持されており、その状態で移動台車１９によって移動することができる。
【００３４】
移動台車１９の底部四隅には、手押しで移動可能とするためのキャスター２３が設けられ、椅子の座面にあたる上面にはトラニオン固定金具６を保持し、貯蔵架台２から取り外
し時の保持及び移動時に持ち上げるためのジャッキ２１が取付けられている。図４では、
ジャッキ２１の爪２１ａをトラニオン固定金具６の下部に引っかけている。
【００３５】
この移動台車１９にジャッキ機能を持たせることにより、トラニオン固定金具６を貯蔵
架台２から取り外すときは、取り外し時の緩め量に応じて、ジャッキ２１で少しずつトラ
ニオン固定金具６を持ち上げて容易に取り外すことが可能となる。
【００３６】
以上説明した実施例１の固縛装置によれば、収納容器１の搭載時には、収納容器が入ってくる入口側の固縛装置４Ｃを取り外し、両脇側の固縛装置４Ｂを左右に開くことによって、収納容器を貯蔵架台２と干渉しない高さで搬送し、貯蔵架台に容易に搭載でき、その後、各固縛装置４Ａ、４Ｂ及び４Ｃによって、各トラニオン３を容易に固縛できる。
【００３７】
即ち、実施例１の固縛装置によれば、収納容器を容易に着脱ができる。また、収納容器を貯蔵架台へ搭載するときの吊上げ高さに制約があっても、固縛装置の着脱が容易にでき
る。さらに、放射線環境下においては、放射性物質の収納容器を短時間で貯蔵架台２に固
縛できるので、作業員の放射線被曝量を低減できる。
【００３８】
また、以上説明した実施例１の固縛装置によれば、固縛装置は重量物であるが、クレー
ン等を介さず固縛装置の開閉や移動を行うことができる。
【００３９】
次に、横ずれ防止金具５の実施例を図３乃至図５を用いて説明する。図５は貯蔵架台に
取付ける横ずれ防止金具の平面図と断面図である。
横ずれ防止金具５は、貯蔵架台２の上面に設けられ、収納容器１を収納する時のガイド
及び貯蔵時の地震による収納容器の横ずれ防止する役目を果たし、貯蔵架台２から取り外
し可能である。本実施例では横ずれ防止金具５は、図３に示すように、各固縛装置４の位
置に設けられている。しかし、必ずしも、横ずれ防止金具５を固縛装置４の位置に設ける
必要はない。
【００４０】
横ずれ防止金具５は、図４、図５に示すように、金具本体１４の中央に押しボルト１３
を組み込み、その押しボルト先端には、パッドプレート１５が固定ボルト１８を介して取
付いている。また、金具本体１４は、貯蔵架台２に設けた窪みＣに設置することにより、
収納容器の横ずれ時の荷重Ｄのうち、引張荷重は横ずれ防止金具の固定ボルト１６で受け、せん断荷重は、窪みＣで受けることが可能となる。
【００４１】
収納容器１を貯蔵架台２に搭載するときは、搭載方向入口側の横ずれ防止金具のみ取り
外し、それ以外は、収納容器のガイドとなるように、収納容器保持部の寸法に対して若干
の隙間を空けるように押しボルト１３を回して調整する。この状態で、収納容器１を規定
の高さに吊上げて、貯蔵架台２上の搭載位置まで搬入する。このときの収納容器１と貯蔵
架台２の中心の位置決めは、横ずれ防止金具５で行い、回転方向は、固縛装置４Ａのトラ
ニオンガイド２０で行う。
【００４２】
位置が決まったら収納容器１を貯蔵架台２に設置し、固縛装置４によりトラニオン３を
固定する。このとき固縛装置４の構成部材のひとつであるトラニオン固定ボルト７（７ａ
乃至７ｄ）には、地震による収納容器の浮き上がりを防止するため、規定のプリテンショ
ンを加える。収納容器搭載方向入口側の横ずれ防止金具５については、収納容器１の中心
軸に対して他の横ずれ防止金具５よりも外側に取付ける。収納容器１が搭載されていることから、これにより、この位置の横ずれ防止金具の取り付けが容易にできるようにしている。最後に押しボルト１３で収納容器の横ずれを防止する。
【００４３】
以上説明した横ずれ防止金具の実施例１によれば、横ずれ防止金具は、トラニオン固定
ボルトと干渉しない押しボルトを備え、収納容器の大きさに合わせ押しボルトの先端に設
けたパッドプレートを収納容器に容易に接触させ固定することができる。
【００４４】
また、以上説明した横ずれ防止金具の実施例１によれば、貯蔵架台上へ収納容器を移動
し着座させるときは、押しボルトを調整することにより、パッドプレートが収納容器をガ
イドし、位置決めを容易に行うことができる。
【００４５】
さらに、以上説明した横ずれ防止金具の実施例１によれば、収納容器を貯蔵架台へ搭載
するときの吊上げ高さに制約があっても貯蔵架台上において低位置で収納容器をガイドで
き、さらに地震時の荷重を横ずれ防止金具で受けることがでる。
【００４６】
さらにまた、以上説明した横ずれ防止金具の実施例１によれば、収納容器の固縛作業時
間の低減を図れる貯蔵架台を得ることができる。
さらに、放射線環境下においては、放射性物質の収納容器を短時間で貯蔵架台２に固縛
できるので、作業員の放射線被曝量を低減できる。
【００４７】
（実施例２）
図６に、本発明の収納容器用の貯蔵架台の第２の実施例２を示す。図７に、実施例２おける固縛装置４Ｂ及び横ずれ防止金具５の動作を説明するための図を示す。
【００４８】
まず、実施例１では、大きな地震力に対処するために、固縛装置４を４台設け、収納容
器１に取り付けている４個のトラニオン３をそれぞれで固定したケースである。実施例２
は、地震力が小さいケースで、両脇側に配置した２台の固縛装置４Ｂで２個のトラニオン
のみを固定する例である。
【００４９】
図６の状態から図７に示す状態を経て収納容器１を固縛するには、入口側の横ずれ防止
金具５を外し、両脇側の固縛装置４Ｂを開く(ステップ１）。次に、収納容器１を設置する(ステップ２）。そして、両脇側の固縛装置４Ｂを閉じ、入口側の横ずれ防止金具５を設置する(ステップ３）。最後に、４個の横ずれ防止金具５で収納容器１を固定する(ステップ４）。
【００５０】
実施例２の場合は、トラニオン固定金具６を、収納容器１の搭載方向に対して、両脇に
配置することにより、入口側の固縛装置４Ｃは設置が不要となることから、固縛装置４Ｃ
の取り外し作業が不要となる。また、横ずれ防止金具５の取り外しのみの作業となること
から、容易に収納容器１を搭載することができる。
【００５１】
（実施例３）
図８に、固縛装置４の他の実施例を有する本発明の収納容器用の貯蔵架台の第３の実施
例３を示す。また、図９に、実施例３におけるトラニオン固定金具６Ａの詳細を示す。実
施例１ではトラニオン固定ボルト７ａとトラニオン固定金具６を開閉したのに対し、実施
例３では、トラニオン固定金具６Ａの開閉部にはＵ字型の溝２５を設け、トラニオン固定
金具６Ａのみ開閉する構造とし、トラニオン固定金具６Ａを開後、トラニオン固定ボルト
７ａを取り外す方式とした。
実施例３においても、横ずれ防止金具５の取り外しのみの作業となることから、容易に
収納容器１を貯蔵架台２に搭載することができる。
【００５２】
（実施例４）
図１０に、本発明の収納容器用の貯蔵架台の第４の実施例４を示す。実施例１では４台の固縛装置４Ａ、４Ｂ、４Ｂ、４Ｃに対しそれぞれ４個の横ずれ防止金具５を設けていた
が、実施例４では４台の固縛装置４Ａ、４Ｂ、４Ｂ、４Ｃに対し３個の横ずれ防止金具５
を配置した例である。３個の横ずれ防止金具５は、入口側の固縛装置４Ｃに設けられた横
ずれ防止金具５ｃに対し、他の２つの横ずれ防止金具５ａ、５ｂを等角度間隔、例えば１
２０度に配置されている。なお、横ずれ防止金具５は、トラニオン固定金具と同位置に配
置する必要はなく、３個以上配置できれば、目的を達することができる。
【００５３】
実施例４によれば、固縛装置４と横ずれ防止金具５を別の位置に設けることができ、固
縛作業が実施し易い利点がある。
また、実施例４によれば、上記利点と合わせて、調整すべき横ずれ防止金具の数が少な
いので固縛作業時間を短くできる。
【符号の説明】
【００５４】
１：収納容器                  ２：貯蔵架台
２Ｂ：架台基部                ３：トラニオン
４：固縛装置                  ５：横ずれ防止金具
６：トラニオン固定金具        ７、７ａ〜７ｄ：トラニオン固定ボルト
８：圧縮バネ                  ９：圧縮バネ支持用パイプ
１０、１１：ナット            １２：連結部材
１３：押しボルト              １４：金具本体
１５：パッドプレート          １６：横ずれ防止金具の固定ボルト
１７：貯蔵架台固定ボルト穴    １８：パッドプレートの固定ボルト
１９：移動台車                ２０：トラニオンガイド
２１：ジャッキ                ２２：Ｖブロック
２３：キャスター              ２４：ねじ穴
２５：Ｕ字型の溝
【図１】
2015096860.tif 000003
【図２】
2015096860.tif 000004
【図３】
2015096860.tif 000005
【図４】
2015096860.tif 000006
【図５】
2015096860.tif 000007
【図６】
2015096860.tif 000008
【図７】
2015096860.tif 000009
【図８】
2015096860.tif 000010
【図９】
2015096860.tif 000011
【図１０】
2015096860.tif 000012